(57)【特許請求の範囲】
【請求項１】
浴槽におけるお湯の保温シート製の風呂蓋において、長方形の短辺側外周より適宜内側に、入浴者の首部を出入りさせる孔部を設け、該孔部の外周から前記短辺側外周へ貫通するスリット部を設けて、スリット部の左右いずれか一方の上面に枕となるクッション材を固着して設けて、孔部の周辺に補強用クッション材を設けたことを特徴とする枕付き半身浴用風呂蓋。
【請求項２】
孔部近傍の風呂蓋の上面に、孔部閉塞用の蓋と、この蓋を開閉自在とする複数の止め具とが固着して設けられていることを特徴とする請求項１記載の枕付き半身浴用風呂蓋。
【請求項３】
枕となるクッション材と、孔部周辺に設けられた補強用クッショ材とにマイナスイオン付着加工を施してなることを特徴とする請求項１もしくは２記載の枕付き半身浴用風呂蓋。
【請求項４】
孔部閉塞用の蓋が孔部に着脱自在に設けられていること特徴とする請求項２または３記載の枕付き半身浴用風呂蓋。
【請求項５】
孔部閉塞用の蓋が孔部に回動自在に設けられていること特徴とする請求項２または３記載の枕付き半身浴用風呂蓋。
【発明の詳細な説明】
【０００１】
【発明の属する技術分野】
本発明は、下半身のみを温水に浸す、いわゆる半身浴にて使用する枕付き半身浴用風呂蓋に関するものである。
【０００２】
【従来の技術】
肩までお湯に浸す通常の入浴は、温度と共に水圧を受けるので、肺や心臓に負担をかけると言われており、健康な人でも１０分から１５分位で疲労を感じるものであるが、高齢者や病身であれば更に負担は大きい。
最近、身体に負担をかけにくい入浴法として、下半身をやや低めの温度のお湯に３０分程度浸す、いわゆる「半身浴」が注目されて、高齢者や病弱者の健康維持のほか、健常者でも痩身効果を得るなどの目的で用いられている。
【０００３】
しかし、半身浴は、上半身がお湯の中に入らず露出しているため、浴室が冷えていたり、特に冬期には身体が冷え過ぎて初期の目的を達成できないばかりか、かえって体調を損なう結果も生じかねない。
そのために、上半身が寒さを感じたときは、間欠的に「かけ湯」をすればよいが、浴槽の中のお湯をくみ上げて左右の肩にかける操作を繰り返すのは繁雑な作業である。
このような繁雑さを解消する目的で浴槽の中の湯気を逃さずに利用できるように、凹凸のある風呂蓋の裏面に、保温シートを固着して向かい合って二ヶ所に顎をもたせかけるアーチ状の首挿入口を設けて、半身浴を二人で行えるようにしたものが知られている。（例えば特許文献１参照）
また、単に顔や手を出せるように開口部を設けた風呂蓋の構造も知られている（例えば特許文献２および３参照）
【０００４】
【特許文献１】
特開２０００−３００４５１号公報（第２頁、第１図）
【特許文献２】
特開平８−６６４５５号公報（第２−３頁、第１図）
【特許文献３】
登録実用新案公報第３０７４５０４号公報（第３頁、第２図）
【０００５】
【発明が解決しようとする課題】
上述の特許文献１のような半身浴用の風呂蓋は、アーチ状の首挿入口に顎をもたせかけて半身浴を行うため前かがみの姿勢になり、身体に負担がかかり易い欠点がある。また、凹凸のある風呂蓋に保温シートや弾性素材等を固着しているため黴が生じ易く衛生的でない。
さらに、特許文献２や特許文献３のように、単に顔を出せるのみでは、入浴者の首廻りの閉塞が充分でなく保温性に欠け、その上、このような構造風呂蓋は取り扱いも簡便でない。
本発明は半身浴の際には、入浴者が頭部を後ろにもたせかけて入浴できる保温シート製の枕付き半身浴用風呂蓋であり、浴槽の中の湯気を逃さずに利用して上半身の温度低下を防ぎ、より楽に半身浴を行うことができることを課題とする。
さらに、半身浴用以外に、軽くて扱い易い通常の風呂蓋としても使用することができる枕付き半身浴用風呂蓋を提供する事を目的とする。
【０００６】
【課題を解決するための手段】
上記の目的を達成するために次のような構成にした。
第一の発明は、浴槽におけるお湯の保温シート製の風呂蓋において、長方形の短辺側外周より適宜内側に、入浴者の首部を出入りさせる孔部を設け、該孔部の外周から前記短辺側外周へ貫通するスリット部を設けて、スリット部の左右いずれか一方の上面に枕となるクッション材を固着して設けて、孔部の周辺に補強用クッション材を設けたことを特徴とする枕付き半身浴用風呂蓋を提供する。
【０００７】
第二の発明は、孔部近傍の風呂蓋の上面に、孔部閉塞用の蓋と、この蓋を開閉自在とする複数の止め具とが固着して設けられていることを特徴とする第一の発明記載の枕付き半身浴用風呂蓋を提供する。
【０００８】
第三の発明は、枕となるクッション材と、孔部周辺に設けられた補強用クッショ材とにマイナスイオン付着加工を施してなることを特徴とする第一の発明もしくは第二の発明記載の枕付き半身浴用風呂蓋を提供する。
【０００９】
第四の発明は、孔部閉塞用の蓋が孔部に着脱自在に設けられていること特徴とする第二の発明もしくは第三の発明記載の枕付き半身浴用風呂蓋を提供する。
【００１０】
第五の発明は、孔部閉塞用の蓋が孔部に回動自在に設けられていること特徴とする第二の発明または第三の発明記載の枕付き半身浴用風呂蓋を提供する。
【００１１】
【発明の実施の形態】
以下、本発明の実施の形態として第一の実施例を図１に基づいて説明する。
図１において、１は風呂蓋であり、短辺側は約７０ｃｍ。長辺側は約９０ｃｍ。厚さは約４ｍｍのほぼ長方形の発砲ポリエチレンより成り、表面にはアルミ箔が接着されている保温シート製である。アルミ箔側を表面にして風呂蓋１の短辺側内側に首を出入りさせる直径約１４ｃｍの孔部２を設ける。孔部２の外周から前記短辺側外周へ貫通するスリット（長さ約１０ｃｍ）を入れて切り離してスリット部３を設ける。
スリット部３の左右いずれか一方の上面に保温シート製の枕となるクッション材４を、アルミ箔側を表面にして接着して取り付ける。枕となるクッション材４は風呂蓋１と同材質で同じ厚みでもよいが、好みにより更に厚みを増しても良い。
【００１２】
図２〜図４は、孔部２を閉塞すべき蓋の構造を示す。７は孔部閉塞用蓋本体であり、発泡ポリエチレン側を表面にし、アルミ箔側を裏面にする。材質や厚みは風呂蓋１と同一のものを用いる。
１２は蓋補強用クッション材であり、孔部閉塞用蓋本体７の表面に接着固定されており、大きさは風呂蓋１の孔部２とほぼ同じ大きさとなっている。
孔部閉塞用蓋７の裏面の外周約３ケ所には、ゴム磁石１１が固着されており、風呂蓋１の孔部２周辺に設けたステンレス板６と対応して、孔部閉塞用蓋７を着脱自在の構造を形成している。
ここで、ゴム磁石１１とステンレス板６とを入れ替えて、風呂蓋１側にゴム磁石１１を、孔部閉塞用蓋７の側にステンレス板６を固着しても同一機能である。
【００１３】
孔部周辺には、蓋７の外形とほぼ一致する形状の保温シート製の補強用クッション材５を、アルミ箔側を表面にして、枕となるクッション材４と重ならない範囲に接着して設ける。その上面には直径約１．８ｃｍのステンレス板６を３ケ所に接着して設ける。この補強用クッション材５は、枕となるクッション材４と同様に、風呂蓋１と同材質で同じ厚みでもよいが、好みにより更に厚みを増しても良い。図1に図示しないが、着脱自在の孔部閉塞用の蓋７には、対応する位置にゴム磁石１１が設けてある。
【００１４】
図５〜図６は、風呂蓋１と孔部閉塞用蓋７との組み合わせ状態を示す断面図である。
特に図６は、ゴム磁石１１とステンレス板６との結合の１組を「ピンによる枢着構造」に変更したものである。図７はピンの構造の１例を示し、ピン本体１３aと頭部１３bとを相互に圧入して固定する。圧入に代えネジによる固定でも良い。
従って、この図６〜図７の実施例では風呂蓋１に対して孔部閉塞用蓋７は着脱自在構造ではなく回動自在構造となっている。そして、入浴時には孔部２が開き、非入浴時には孔部２を閉じることができる機能は、着脱自在構造と回動自在構造との両実施例とも同一である。
【００１５】
図８および図９は、着脱自在構造の蓋７の格納状態を示す説明図であり、図８は孔部２の開放状態を、図９は蓋７の格納状態をそれぞれ示している。
図１０および図１１は、回動自在構造の蓋７の格納状態を示す説明図であり、図１０は孔部２の閉塞状態を、図１１は蓋７の格納状態をそれぞれ示している。
これらの説明図から理解できるように。開放状態の蓋７を所定の位置に固定しておくことにより、蓋７を紛失したり風呂蓋１を操作・取り扱いの際に邪魔になったりすることがない。
【００１６】
次に、枕となるべきクッション材４や、孔部２の周辺の補強用クッション材５などに、周知の方法でマイナスイオン付着加工を施せば、入浴時にマイナスイオンが首周辺に作用して健康増進に役立ち、半身浴効果を相乗的に増大させる。
また、風呂蓋１全体および付属の各部品に抗菌コート加工を施せば、非入浴時や保管時における黴の発生や病原菌の付着などの不衛生な状態を可及的に防止でき、長期間における快適な使用が可能になる。
【００１７】
図１２は、入浴者Ｍが浴槽Ｂに入った後、半身浴を開始する際に本発明による風呂蓋を装着する寸前の状態を示す説明図である。
図において、閉塞蓋７は孔部２を開放状態にして固定されているが、この状態から蓋１や蓋７の弾性を利用して枕となるクッション材４を持ち上げ、次いでスリット部３を開き、入浴者Ｍの首部がスリット部３を通過するように風呂蓋１全体を引き寄せて、正規の位置に定着させる。
【００１８】
図13は、浴槽Ｂと入浴者Ｍと本発明の風呂蓋１との三者の関係を示す説明図であり、風呂蓋１の孔部２を入浴者の首部が通過している状態を示している。
【００１９】
【発明の効果】
以上のように本発明によれば、実施例に示すように、簡単な構造の枕付き半身浴用風呂蓋であるため安価に提供できる。
この保温シート製の枕付き半身浴用風呂蓋は、アルミ箔を表面側にして形成されているため、裏面側の発砲ポリエチレンシートが浴槽の中の湯気を抱き込んでふくらみ、風呂蓋が浴槽の上面に密着して浴槽の中の熱を逃がさず、風呂蓋も浴槽の中に落ち込まない効果がある。
したがって孔部を孔部用の蓋で塞ぎ風呂蓋として使用すれば、従来の風呂蓋に比べて省エネルギーになり、また軽くて扱い易く衛生的な風呂蓋となる。お湯が適温に達すれば、半身浴時に不要となる孔部用の蓋を開き、風呂蓋側に保着すれば半身浴用の風呂蓋となる。
【００２０】
入浴時は
、風呂蓋のスリット部上面の枕となるクッション材と風呂蓋の手前側を両手で左右に開いて孔部から首を出し枕となるクッション材側の風呂蓋を後ろ側の浴槽の上面に置いて浴槽の中の湯気を逃がさないようにして入浴者の頭部を後ろ側の枕となるクッション材の上にもたせかけると、ソフトな枕となるクッション材が、特に入浴時には寒さを覚える首すじを暖かくして半身浴を快適にする。
【００２１】
また、マイナスイオン加工を施した枕となるクッション材、または補強用クッション材を設けた枕付き半身浴用風呂蓋は、入浴者にマイナスイオン効果をもたらしてより快適に入浴できる。
軽くて扱い易く衛生的なこの枕付き半身浴用風呂蓋は、体力のない高齢者や高血圧や心臓の弱い人達の健康維持に役立つことは言うまでもなく、健常者においても、痩身効果を得るなどの顕著な効果が得られる。この他にも、お湯の節約になり省エネルギーに役立つ利点がある。
【図面の簡単な説明】
図面はすべて本発明の実施例を示す。
【図１】    枕付き半身浴用風呂蓋の平面図
【図２】    孔部閉塞用の蓋の平面図
【図３】    孔部閉塞用の蓋の裏面図
【図４】    孔部閉塞用の蓋の断面図
【図５】    孔部閉塞用の蓋の装着状態の断面図
【図６】    回動自在に設けた孔部閉塞用の蓋の枢着部の断面図
【図７】    枢着ピンの断面図
【図８】    着脱自在の蓋を格納する前の風呂蓋の平面図
【図９】    同上の格納状態の平面図
【図１０】  回動自在の蓋を閉塞した状態を示す風呂蓋の平面図
【図１１】  回動自在の蓋が開いた状態で格納された状態を示す平面図
【図１２】  本発明の風呂蓋を入浴者が装着する直前の状態を示す説明図
【図１３】  本発明の風呂蓋を用いて半身浴を行う状態を示す説明図である。
【符号の説明】
１．風呂蓋
２．孔部
３．スリット部
４．枕となるクッション材
５．補強用クッション材
６．ステンレス板
７．孔部閉塞用の蓋本体
１１．ゴム磁石
１２．蓋補強クッション材
１３．軸止め具
Ｂ．浴槽
Ｍ．入浴者
【図１】
0003669584.tif 000002
【図２】
0003669584.tif 000003
【図３】
0003669584.tif 000004
【図４】
0003669584.tif 000005
【図５】
0003669584.tif 000006
【図６】
0003669584.tif 000007
【図７】
0003669584.tif 000008
【図８】
0003669584.tif 000009
【図９】
0003669584.tif 000010
【図１０】
0003669584.tif 000011
【図１１】
0003669584.tif 000012
【図１２】
0003669584.tif 000013
【図１３】
0003669584.tif 000014